(57)【要約】      （修正有）【課題】美観性に優れ、耐久性と防水性とを備えた外壁構造を提供する。【解決手段】  外装用のパネル２ａ・２ｂは、一方の側端部に形成される谷部１５と、他方の側端部に形成されるキャップ状の嵌合雌部３と、谷部１５に隣接して形成される山型の嵌合雄部４とを備え、隣り合うパネル２ａ・２ｂの係合部分３０では、一方のパネル２ａの嵌合雄部４と他方のパネル２ｂの嵌合雌部３とが、該嵌合雌部３が外界側に位置するように嵌合し、上記一方のパネル２ａの谷部１５と他方のパネル２ｂとが、該他方のパネル２ｂが外界側に位置するように間隙１４を介して重畳し、この間隙１４から上記一方のパネル２ｂの谷部の底１５ｐにビス１９が打ち込まれている。【選択図】図４
2005336999.tif 000002
【特許請求の範囲】
【請求項１】
複数のパネルが互いに係合されてなる外壁構造であって、
各パネルは、一方の側端部に形成される谷部と、他方の側端部に形成されるキャップ状の嵌合雌部と、上記谷部に隣接して形成される山型の嵌合雄部とを備え、
隣り合うパネルの係合部分では、
一方のパネルの嵌合雄部と他方のパネルの嵌合雌部とが、該嵌合雌部が外界側に位置するように嵌合し、上記一方のパネルの谷部の底と他方のパネルとが、該他方のパネルが外界側に位置するように間隙を介して重畳し、この間隙から上記一方のパネルの谷部の底に固定用部材が打ち込まれていることを特徴とする外壁構造。
【請求項２】
上記谷部の縁端と上記他方のパネルとが接していることを特徴とする請求項１記載の外壁構造。
【請求項３】
上記嵌合雄部および嵌合雌部は、パネル側部を山型に湾曲させることによって形成されており、
上記嵌合雄部は、山型の湾曲部の外側に、２つの立ち上がり部分に形成されるくび部と、該くび部から両外側に張り出したえら部と、該えら部から先細となる頭部とを有し、
上記嵌合雌部は、山型の湾曲部の内側に、２つの立ち上がり部分の間に形成される開口部と、該開口部から一旦外側に広がりつつ先が狭まった開口空間部とを備えることを特徴とする請求項１記載の外壁構造。
【請求項４】
上記各パネルは、嵌合雌部に隣接して形成され、上記谷部よりくぼみ幅の小さな溝部を備え、上記一方のパネルの谷部に、上記他方のパネルの溝部が嵌め込まれていることを特徴とする請求項１記載の外壁構造。
【請求項５】
上記各パネルは、上記嵌合雄部と嵌合雌部との間に、上記嵌合雌部と同様の形状を有するダミー嵌合部を備えることを特徴とする請求項１記載の外壁構造。
【請求項６】
上記係合部分における、上記嵌合雌部の湾曲部の内側側面と上記嵌合雄部の湾曲部の外側側面との間に、シール材が設けられていることを特徴とする請求項３記載の外壁構造。
【請求項７】
建物の外装に用いられるパネルであって、一方の側端部に形成される谷部と、他方の側端部に形成されたキャップ状の嵌合雌部と、上記谷部に隣接して形成される山型の嵌合雄部とを備えることを特徴とするパネル。
【発明の詳細な説明】
【技術分野】
【０００１】
本発明は、パネル（例えば、外装用パネル）を複数連結することによって構成される外壁構造に関する。
【背景技術】
【０００２】
従来から、同一形状のパネル（例えば、外装用パネル）を複数用意し、各パネルを相互に連接（連結）していくことによって構成する連接式の外壁が知られている。
【０００３】
図７（ａ）は、従来からの連接式の外壁構造を示す斜視図であり、（ｂ）は、（ａ）の外壁における各パネルの連接を説明する上面図である。
【０００４】
図７（ｂ）に示されるように、パネル１５０の一方の側部には、平坦部１４２につながる谷部１４４が備えられている。すなわち、平坦部１４２と側端部１４３との間に谷部１４４が備えられた構成である。谷部１４４は、２つの側面１４４ａ・１４４ｃと底面１４４ｂとを備える。なお、図示しないが、パネル１５０の他方の側部には溝部（後述する溝部１４６と同一形状）が備えられている。
【０００５】
また、図７（ｂ）に示されるように、パネル１５１の一方の側部には、平坦部１４５につながる溝部１４６が備えられている。溝部１４６は２つの側面１４６ａ・１４６ｃと底面１４６ｂとを備える。なお、図示しないが、パネル１５１の他方の側部には谷部（上記した谷部４４と同一形状）が備えられている。
【０００６】
そして、図７（ａ）に示されるように、外壁は、隣り合うパネル１５０、１５１の連結によって構成される。すなわち、外界側のパネル１５１の溝部１４６がパネル１５０の谷部１４４に組み入れられた状態（谷部１４４の側面１４４ａ・１４４ｃと溝部１４６の側面１４６ａ・１４６ｃとがそれぞれ接し、谷部１４４の底面１４４ｂと溝部１４６の底面１４６ｂとが接する状態）において、外界側から溝部１４６の底面１４６ｂと谷部１４４の底面１４４ｂとを貫通するビス１４８により、隣り合うパネル１５０とパネル１５１とが胴縁（図示せず）等に固定された構成となっている。
【発明の開示】
【発明が解決しようとする課題】
【０００７】
しかしながら、上記した連接式の外壁は、外界側から、重畳する２枚のパネルにビスを打ち込み、該２枚のパネルを胴縁等に固定する構造である。すなわち、ビス頭が外界に露出する。ここで、外壁は屋根等と異なり人目に付き易いため、外壁にビス頭が多数露出する上記の構成では建物自体の美観が損なわれてしまう。
【０００８】
さらに、上記の構成ではビス頭が外界に露出するため、風雨等によって、ビス頭あるいはビス本体までもが劣化し、外壁の構造的安定性が失われるおそれがある。
【０００９】
加えて、各パネルの係合部分は、谷部と溝部とを組み合わせただけのものであるため、激しい風雨（いわゆる横殴りの雨）に晒されると、谷部の側面と溝部の側面との接触部分から外壁の内側に水が浸入するおそれもある。
【００１０】
本発明は、これらの問題点に鑑みてなされたものであり、その目的は、美観性に優れ、耐久性と防水性とを備えた外壁構造を提供する点にある。
【課題を解決するための手段】
【００１１】
本発明の外壁構造は、上記課題を解決するために、複数のパネルが互いに係合されてなる外壁構造であって、各パネルは、一方の側端部に形成される谷部と、他方の側端部に形成されるキャップ状の嵌合雌部と、上記谷部に隣接して形成される山型の嵌合雄部とを備え、隣り合うパネルの係合部分では、一方のパネルの嵌合雄部と他方のパネルの嵌合雌部とが、該嵌合雌部が外界側に位置するように嵌合し、上記一方のパネルの谷部と他方のパネルとが、該他方のパネルが外界側に位置するように間隙を介して重畳し、この間隙から上記一方のパネルの谷部の底に固定用部材が打ち込まれていることを特徴としている。
【００１２】
上記外壁構造は、一方のパネルの山型の嵌合雄部に、他方のパネルのキャップ状の嵌合雌部を外界側から被せ、これを嵌入した状態となっている。この嵌合雄部と嵌合雌部との嵌合によって両パネル同士が確実に連結される。また、この両者の嵌合によって、上記嵌合雄部に隣接する一方のパネルの谷部の底と、外界側に位置する他方のパネルとが間隙（谷部のくぼみ部分）をおいて重畳する。そして、この間隙から、上記一方のパネルの谷部の底に固定用部材が打ち込まれている。換言すれば、各パネル間に生じた間隙から、上記一方のパネルにのみ固定用部材を打ち込むものである。この固定用部材によって上記一方のパネルは、母屋（建物）等に固定される。
【００１３】
上記構成によれば、２枚のパネル（外壁側・母屋側）間の間隙から母屋側に位置するパネルへ固定用部材（例えば、ビス）を打ち込むため、この固定用部材（例えば、ビス頭）が外界に露出しない。よって、上記した従来の構成とは異なり、ビス頭が外界に露出しない美観性に優れた外壁を実現することができる。また、ビス頭が外界に露出しないので、風雨等によってビスが劣化するといったこともない。よって、外壁の構造的安定性を長期間にわたって維持できる。加えて、各パネルの嵌合部は山型の嵌合雄部をキャップ状の嵌合雌部で覆った構造であるため、横殴りの雨に晒されたときに嵌合部から外壁の内側に水が浸入するといった問題も解消できる。さらに、各パネルの係合部において、内側（母屋側）に位置するパネルのみに固定用部材を打ち込むため、この固定用部材の打ち込みよって外界側のパネルが歪むことがない。よって、歪みのない美しい外壁を構成できる。
【００１４】
このように、本発明の外壁構造によれば、美観性に優れ、耐久性と防水性とを備えた外壁を実現することができる。
【００１５】
また、上記外壁構造においては、谷部の縁端と上記他方のパネルとが接していることが好ましい。上記構成によれば、重畳するパネル間に形成された間隙の一端部が、上記谷部の縁端によって閉じられる。よって、固定部材の打ち込み部分となる上記間隙に雨水等が浸入することを防止できる。また、上記他方のパネルを一方のパネルの縁端によって支持する構造となるため、取付時あるいは取付後に、この他方のパネルが歪んでしまうことを防止できる。
【００１６】
また、上記外壁構造においては、上記嵌合雄部および嵌合雌部がパネル側部を山型に湾曲させることによって形成されており、上記嵌合雄部は、山型の湾曲部の側面に、２つの立ち上がり部分に形成されるくび部と、該くび部から一旦両外側に張り出しつつ先細となった（頂部に向かって細くなった）頭部とを有し、上記嵌合雌部は、山型の湾曲部の内側に、２つの立ち上がり部分の間に形成される開口部と、該開口部から一旦外側に広がりつつ先が狭まった開口空間部とを備えることが好ましい。
【００１７】
上記構成によれば、以下のようにして、嵌合雄部と嵌合雌部とを容易かつ確実に嵌合させることができる。まず、嵌合雄部の頭部の先端（嵌合雄部の頂部）に、外界側から嵌合雌部の開口部を接触させる。ついで、外界側から上記嵌合雌部に力を加える。そうすると、嵌合雄部の頭部は頂部からえら部に向かって徐々に広がった形状を有するため、嵌合雌部の開口部が徐々に広げられ、嵌合雄部の頭部が開口空間部内に収まっていく。そして、嵌合雄部の出っ張り部分であるえら部が開口空間部内に収まった状態（嵌合雌部の広がった部分にえら部が嵌まり、開口部にくび部が嵌った状態）になると、嵌合雌部は嵌合雄部からはずれなくなり、嵌合雌部と嵌合雄部とが完全に嵌合される。このように、上記構成によれば、隣り合うパネルを容易かつ確実に連結することができる。
【００１８】
また、上記外壁構造においては、上記各パネルは、嵌合雌部に隣接して形成され、上記谷部よりくぼみ幅の小さな溝部を備え、上記一方のパネルの谷部に、上記他方のパネルの溝部が嵌め込まれていることが好ましい。
【００１９】
上記構成によれば、上記一方のパネルの谷部の底と上記他方のパネルの溝部の底とが接した状態となることで、２枚のパネル間に形成された上記間隙の一端部が閉じられることになる。よって、固定部材の打ち込み部分となる上記間隙に雨水等が浸入することを防止できる。
【００２０】
また、上記外壁構造においては、上記各パネルは、上記嵌合雄部と嵌合雌部との間に、上記嵌合雌部と同様の形状を有するが、パネル同士の嵌合には用いないダミー嵌合部を備えてもかまわない。上記構成によれば、嵌合雌部が適度な間隔で並設された美しい外壁を構成することができる。
【００２１】
また、上記外壁構造においては、上記係合部分における、上記嵌合雌部の湾曲部の内側側面と上記嵌合雄部の湾曲部の外側側面との間に、シール材が設けられていることが好ましい。該構成によれば、パネル端側に位置する、嵌合雌部の開口部と嵌合雄部のくび部との接触部にあたる部分から万一水分等が浸入しても、上記シール材によって遮断され、該水分等が固定用部材（例えば、ビス頭）が存在する、各パネル間の間隙あるいは建物内部に侵入することがない。これにより、外壁構造の防水性および耐久性（構造的安定性）をより一層向上させることができる。
【００２２】
また、本発明のパネルは、上記課題を解決するために、建物の外装に用いられるパネルであって、一方の側端部に形成される谷部と、他方の側端部に形成されたキャップ状の嵌合雌部と、上記谷部に隣接して形成される山型の嵌合雄部とを備えることを特徴としている。
【発明の効果】
【００２３】
以上のように、上記構成によれば、２枚のパネル（外壁側・母屋側）間の間隙から母屋側に位置するパネルへ固定用部材（例えば、ビス）を打ち込むため、この固定用部材（例えば、ビス頭）が外界に露出しない。よって、上記した従来の構成とは異なり、ビス頭が外界に露出しない美観性に優れた外壁を実現することができる。また、ビス頭が外界に露出しないので、風雨等によってビスが劣化するといったこともない。よって、外壁の構造的安定性を長期間にわたって維持できる。加えて、各パネルの嵌合部は山型の嵌合雄部をキャップ状の嵌合雌部で覆った構造であるため、横殴りの雨に晒されたときに嵌合部から外壁の内側に水が浸入するといった問題も解消できる。すなわち、本発明の外壁構造によれば、美観性に優れ、耐久性と防水性とを備えた外壁を実現することができる。
【発明を実施するための最良の形態】
【００２４】
本発明の実施の一形態について図１〜図６に基づいて説明すれば以下のとおりである。図１は、本実施の形態における外壁の全体構成を示す斜視図である。また、図２（ａ）は、本実施の形態に用いられるパネル（１枚分）を示す斜視図であり、図２（ｂ）は、（ａ）に示すパネルの上面図である。
【００２５】
図１に示されるように、本実施の形態に係る外壁１（外壁構造）は、複数のパネル２（２ａ・２ｂ）が、その側部にて互いに係合（連結）されてなり、係合部３０とダミー係合部３５とが、平坦部２４（２４ｘ・２４ｙ）を介して交互に並設された構成である。ここで、係合部３０は、山型の嵌合部２５およびその両側に形成される溝部１３ｘ・１３ｙからなる。また、ダミー係合部３５は、山型のダミー嵌合部５およびその両側に形成される溝部１３ｐ・１３ｑからなる。
【００２６】
なお、各パネル２（２ａ・２ｂ）は、溝部１３ｘ・１３ｙや山型の嵌合部２５が建物の直立方向（鉛直方向）に沿うように、ビス１９によって母屋等に取り付けられる（いわゆる縦張りにされる）。なお、横張りにしても構わない。
【００２７】
各パネル２（２ａ・２ｂ）は、図２（ａ）（ｂ）に示されるように、一方の側端部に形成される谷部１５と、他方の側端部に形成されるキャップ状の嵌合雌部３と、この谷部１５および嵌合雌部３の中間（パネル中央部）に形成されるダミー嵌合部５とを備える。さらに、パネル２（２ａ・２ｂ）は、一方の側部に、谷部１５に隣接して形成される山型の嵌合雄部４と、さらに該嵌合雄部４に隣接して形成される溝部１３ｙとを備え、他方の側部に、嵌合雌部３に隣接して形成される溝部１３ｘを備える。さらに、パネル２（２ａ・２ｂ）は、ダミー嵌合部５の両側にも、該ダミー嵌合部５に隣接して形成される溝部１３ｐおよび溝部１３ｑを備える。また、上記の溝部１３ｘと溝部１３ｐとの間は平坦部２４ｘとなっており、上記の溝部１３ｑと溝部１３ｙとの間も平坦部２４ｙとなっている。
【００２８】
ここで、上記谷部１５の縁端は、嵌合雄部４の凸方向に折り曲げられた構成となっている。また、ダミー嵌合部５は、嵌合雌部３と同一形状である。また、谷部１５のくぼみ幅は、上記嵌合雌部３に隣接する溝部１３ｘの溝幅よりも大きくなっている。
【００２９】
なお、パネル２（２ａ・２ｂ）における、各溝部（１３ｘ・１３ｙ・１３ｐ・１３ｑ）および谷部１５は、パネル２を平坦部２４に対して凹型に湾曲させることによって形成されている。また、嵌合雄部４、嵌合雌部３およびダミー嵌合部２６は、パネル２を山型（凸型）に湾曲させることによって形成されている。
【００３０】
図３（ａ）に各パネルの一方の側部（嵌合雌部近傍）の上面図を示し、（ｂ）各パネルの他方の側部（嵌合雄部近傍）の上面図を示す。
【００３１】
図３（ａ）に示されるように、パネル２（２ａ・２ｂ）の側端部に形成される嵌合雌部３はキャップ状である。この嵌合雌部３は、上記のとおり、パネル２の一方の側部を山型に湾曲させ、この山型の湾曲部分の内側に形成される。この嵌合雌部３は、溝部１３ｘにつながる立ち上がり部分およびパネル２の側端部の立ち上がり部の間に形成される開口部６と、該開口部６から拡張部７ｐに向けて外側に広がりつつ先が狭まった開口空間部７とを備える。
【００３２】
また、図３（ｂ）に示されるように、パネル２（２ａ・２ｂ）のもう一方の側部には、側端部の谷部１５と溝部１３ｙとに挟まれた嵌合雄部４が備えられている。
【００３３】
この嵌合雄部４は、パネル２の側部を山型に湾曲させ、この山型の湾曲部分の外側面に形成される。この嵌合雄部４は、谷部１５につながる立ち上がり側面および溝部１３ｙにつながる立ち上がり側面からなるくび部９と、該くび部９からえら部１０ｐに向かって外側に張り出しつつ先細となった頭部１０とを備える。なお、この頭部１０の頂部（頭頂部）１０ｑは、くび部９側に湾曲した凹形状となっている。
【００３４】
図４は、本実施の形態に係る各パネルの係合部の斜視図である。図４に示されるように、パネル２ａと２ｂとは、係合部３０において、パネル２ｂが外界側となるように重畳している。すなわち、パネル２ａの嵌合雄部４が、外界側のパネル２ｂの嵌合雌部３に嵌入されるとともに、外界側に位置するパネル２ｂの溝部１３ｘがパネル２ａの谷部１５に組み入れられる。ここでは、嵌合雄部４のくび部９が嵌合雌部３の開口部６内に嵌るとともに、えら部１０ｐが開口空間部７の拡張部７ｐに嵌ることで、嵌合雄部４の頭部１０が嵌合雌部３の開口空間部７内に収められた状態となっている。また、パネル２ｂの溝部１３ｘの溝底が、パネル２ａの谷部の底１５ｐに接する状態になっている。
【００３５】
これにより、２枚のパネル２ａ・２ｂを嵌合部２５にて容易かつ確実に連結することができる。また、この嵌合部２５は、嵌合雌部３が嵌合雄部４を覆った構造であるため、たとえ横殴りの雨に晒されても、この嵌合部２５から外壁１の内側に雨水が浸入するおそれがほとんどない。さらに、パネル２の係合部３０において、内側（母屋側）に位置するパネル２ａにのみビス１９を打ち込むため、ビス１９の打ち込みよって外界側のパネル２ｂが歪むことがない。これにより、外壁１の美観性を一層高めることができる。
【００３６】
ここで、上記したように、谷部１５のくぼみ部分の幅は、溝部１３ｘの溝幅より大きい。したがって、谷部１５のくぼみ部分の一部には溝部１３ｘが存在しない（嵌入されていない）ことになり、間隙１４が生じている。換言すれば、パネル２ａの谷部の底１５ｐとパネル２ｂとが、該パネル２ｂが外界側になるように間隙を介して重畳していることになる。
【００３７】
そして、この２枚のパネルの間隙１４からパネル２ａの谷部の底１５ｐを貫通するビス（固定用部材）１９が打ち込まれている。これにより、ビス１９（ビス頭）を外界に露出させることなく（ビス頭をパネル２ｂで覆った状態にて）、パネル２ａを母屋（図示せず）等に固定することができる。
【００３８】
さらに、上記したように、谷部１５の縁端１８は嵌合雄部４の凸方向に折り曲げられている。そして、この折り曲げられた縁端１８とパネル２ｂの平面部（２４ｘ）とが接している。この結果、ビス頭が位置する間隙１４の両側端部が閉じられることになり、この間隙１４に雨水等が浸入することを防止できる。これにより、間隙１４内のビス１９（ビス頭）を、錆び等による劣化から守ることができる。また、縁端１８によってパネル２ｂを支持することで、パネル２ｂの取付時あるいは取付後に該パネル２ｂが歪むことも防止できる。
【００３９】
以下に、上記外壁を備えた建物構造の一具体例を説明する。図５は、図１の外壁を備えた建物を示す側面図である。
【００４０】
図５に示されるように、建物２９は、上記した土台３０と、母屋３１と、２本の胴縁３２ａ・３２ｂと、ボード３３と、水切３４と、面戸３６と、複数のパネル２が係合された外壁１とを備える。
【００４１】
本実施の形態の外壁１が用いられる建物２９は、例えば、スーパーマーケット、駅舎、図書館、事務所、劇場、病院、会館、工場、倉庫等である。
【００４２】
パネル２（２ａ・２ｂ）の構成は上述したとおりである（図２（ａ）（ｂ）参照）。ここでは、嵌合雄部４と嵌合雌部３との間隔（いわゆる働き巾）を３３３ｍｍとし、ダミー嵌合部５と嵌合雄部４との間隔、およびダミー嵌合部５と嵌合雌部３との間隔を１６６．５ｍｍとし、嵌合雌部３およびダミー嵌合部の開口部６の開口幅を１３．７ｍｍとし、嵌合雄部４のくび部９の幅を１２．５ｍｍとする。また、パネル２（２ａ・２ｂ）には、亜鉛鉄板を用いる。なお、ステンレス鋼板やチタン板あるいは塩ビ鋼板等でも構わない。
【００４３】
母屋の一部である柱３１は、鉛直方向に立てられたＨ型鋼などの柱であり、この柱３１に、２本の胴縁３２ａ・３２ｂが、所定の間隔（パネル２ａ・２ｂの縦方向の幅に適当な間隔）をおいて上下に固定されている。なお、この２本の胴縁３２ａ・３２ｂは、母屋３１に直交するように水平に固定され、下側の胴縁３２ｂは土台３０上に設置される。
【００４４】
この胴縁３２ａ・３２ｂには、土台３０の上に設置されたボード３３が取り付けられる。このボード３３は防水加工がなされ不燃性の壁材である。ボード３３の下端部には、水切３４等が設けられる。そして、このボード３３の外壁側に、複数のパネル２が取り付けられる。これらのパネル２は、ビス（例えば、ドリルビス）により、ボード３３を介して胴縁３２ａ・３２ｂに取り付けられる。
【００４５】
図６（ａ）〜（ｃ）に、本実施の形態に係るパネルを互いに係合させて外壁を形成していく方法を示す。まず、図６（ａ）に示されるように、パネル２ａ（図示しない隣接パネルに係合している）の谷部の底１５ｐ（谷部１５の縁端１８の近傍）にビス１９を打ち込み、該パネル２ａを胴縁（図示せず）に固定する。ついで、パネル２ｂを用意し、嵌合雌部３の開口部６に、パネル２ａの嵌合雄部４の頭頂部１０ｑを接触させる。なお、開口部６の開口幅と、頭頂部１０ｑの幅とはほぼ等しくなっている。
【００４６】
ここで、パネル２ｂに対し、外界側から母屋側へ力（図中矢印方向）を加える。そうすると、上記のごとく頭部１０は頂部１０ｑからえら部１０ｐに向かって徐々に広がった形状を有するため、開口部６が徐々に広げられ、頭部１０が開口空間部７内に収まっていく。そして、頭部１０のえら部１０ｐが開口空間部７内に収まる、すなわち、開口空間部７の拡張部７ｐに頭部１０のえら部１０ｐが嵌まり、開口部６にくび部９が嵌った状態になることによって、パネル２ｂの嵌合雌部３と、パネル２ａの嵌合雄部４とが完全に嵌合される。この結果、２枚のパネル２ａ・２ｂを嵌合部２５にて確実に連結することができる。さらに、横殴りの雨によってこの嵌合部２５から外壁１の内側に雨水が浸入することを防止できる。
【００４７】
さらに、この嵌合雌部３と嵌合雄部４との嵌合に従い、パネル２ｂの溝部１３ｘの溝底がパネル２ａの谷部の底１５ｐに接触する。ここで、谷部１５のくぼみ幅は、溝部１３ｘの溝幅より大きい。したがって、ビス１９の頭が位置する、谷部１５の縁端１８近傍は、パネル２ｂの溝部１３ｘが嵌っていない間隙１４となる。さらに、この間隙１４は、その両側端部が、外界側のパネル２ｂと上記縁端１８とによって閉じられることになる。
【００４８】
この結果、ビス頭が外界に露出しない美観性を有し、防水性と耐久性（構造的安定性）とを併せ持つ堅牢な外壁を形成することができる。
【００４９】
図８（ａ）は、本発明における外壁構造の他の形態を示す断面図である。また、図８（ｂ）は、図８（ａ）に示す外壁構造に用いられる各パネルの断面図である。なお、図８（ｂ）に示すパネル４２の嵌合雌部４３および嵌合雄部４４並びに他のパネル各部の形状や機能は、上述したパネル２（２ａ・２ｂ）における嵌合雌部３および嵌合雄部４と同様である。
【００５０】
図８（ｂ）に示されるように、パネル４２の嵌合雌部４３は、その開口空間部４７の最深部４７ｚに、シール材５４として後で説明するホットメルト型シール材が装着されている。このパネル４２（４２ａ・４２ｂ）を係合した外壁構造３０においては、図８（ａ）に示されるように、嵌合雄部４４の頭頂部５０ｑは、嵌合雌部４３の開口空間部４７（図８（ｂ）参照）の最深部４７ｚに装着されたシール材５４に圧接（圧着）し、開口空間部４７の最深部４７ｚと嵌合雄部４４の頭頂部５０ｑとの間にシール材５４を挟み込んだ（充填した）構成となっている。
【００５１】
このように、シール材５４を設けることで、パネル端側に位置する、嵌合雌部４３の開口部４６と嵌合雄部４４のくび部４９との接触部にあたる部分から万一水分等が浸入しても、シール材５４によって遮断され、該水分等がビス５９の頭が存在する間隙６４や建物内部に侵入することがない。これにより、外壁構造の防水性および耐久性（構造的安定性）を格段に向上させることができる。
【００５２】
なお、上記構成では嵌合雌部４３における最深部４７ｚにシール材５４が装着されているが、これに限るものではない。例えば、図９（ａ）に示すように、嵌合雌部４３における開口空間部４７の側壁部４７ｗにシール材５４が装着されていてもよい。なお、図９（ａ）のような位置にシール材５４を装着する場合、係合させる嵌合雄部の形状を、シール材５４の装着位置に応じて変更してもよい。例えば、図９（ｂ）に示すように嵌合雄部４４の頭部５０を左右非対称な形状に構成しても構わない。
【００５３】
シール材５４としては、以下に示すようなホットメルト型シール材を用いる。ここで、ホットメルト型シール材とは、加熱することによって粘度が低下（軟化）して流動性を示すとともに、常温において、シール対象部材に対する密着性を示す弾性体となるシール材である。本実施形態で用いるホットメルト型シーリング材は、常温状態において、パネル４２の各部に対する密着性および粘着性を示すため、嵌合雌部４３の装着位置（例えば、最深部４７ｚ）から流動することはない。
【００５４】
本実施形態で用いるホットメルト型シーリング材は、合成ゴムを主成分とする淡黄色透明のシール材であり、１４０℃では４７００００ｍＰａ・ｓの粘度を示し、１６０℃では１４７５０ｍＰａ・ｓ、１８０℃では１５２５ｍＰａ・ｓの粘度を示す。なお、これらの粘度は、各温度条件において、ＪＩＳ Ｋ ６８９２（１９９４）に準拠し、Ｂ法（ブルックフィールド形二重円筒回転粘度計を用いる方法）で測定した値である。
【００５５】
また、本実施形態で用いるホットメルト型シーリング材の軟化点は１３０℃である。なお、この軟化点は、ＪＩＳ Ｋ ６８６３（１９９４）に準拠し、Ｂ＆Ｒ法を用いて測定したものである。すなわち、規定の環（肩付き）に試料を充填し、グリセリン浴中に環台で水平に支持した状態で、試料の中央に３．５ｇの鋼球を置き、浴温を５℃／分で上昇させ、球の重みで試料が環台より２５．４ｍｍ下方の底板に触れたときの温度が軟化点である。
【００５６】
また、上記のホットメルト型シール材は、常温状態において弾性体となり、パネル４２に対して密着性を示す状態を長期間にわたって（半永久的に）維持する。このため、シール５４をパネル４２の製造時に装着しておけば、パネル４２の係合時（屋根施工時）に特別な処置を施すことなく（シール材５４の装着を行うことなく）、嵌合雌部４３と嵌合雄部４４とを嵌め合わせるだけで済む。すなわち、施工性を低下させることなくシール機能を有する美しい外壁構造を実現できる。
【００５７】
また、上記のホットメルト型シール材は、密着性および粘着性に優れているので、そのシール効果（水密性、防水性、防湿性）が非常に高く、加えて、装着される部材に対する追従性にも優れている。よって、パネル４２が気候条件の変化等によって変形した場合でも、この変形に対する追従性が優れており、止水切れが起こらず、高いシール効果を維持することができる。
【００５８】
また、上記のホットメルト型シール材は、水や温度などの環境条件の変化に対して、高い適用性を有している。このため、本パネルは、多様な環境条件において利用することができ、例えば、積雪が多い地方における、すがもれ防止にも好適である。
【００５９】
また、上記のホットメルト型シール材は、材料自体が安価なので、コストダウンを図ることができる。また、上記のホットメルト型シール材のように、不定形シール材を用いることにより、テープ状に成形された定形シール材を用いる場合のように、継ぎ目が生じてシール性能が低下したり、シール材の末端部分で無駄が生じるといった問題がない。すなわち、シール性能を低下させることなく、材料の使用量を削減できるので、さらにコストダウンを図ることができる。また、工場でのパネル成形時に、一定枚数のパネルを形成するごとにテープ状シール材を補充あるいは交換したり、パネル一枚ごとにテープ状シール材をカットする必要がなくなり、製造工程を簡略化でき、それによってさらにコストダウンを図ることができる。
【００６０】
また、上記のホットメルト型シール材は耐久性に優れており、長期間にわたって高いシール効果を維持できる。また、上記のホットメルト型シール材は、被シール部材（パネル４２）に悪影響を与えるようなガスを発生することもない。したがって、ライフサイクルコストも低く抑えることができる。
【００６１】
なお、シール材５４は、上記したホットメルト型シール材に限るものではない。加熱することによって粘度が低下し、常温時に被シール部材に対して密着性を示す弾性体となり、シール材として適切に機能するホットメルト型シール材であればよい。ただし、シール材５４は、常温時に柔軟性（弾力性）を示し、気候条件の変化等によるパネルの変形にも追従できることが好ましい。また、シール材５４は、常温時に被シール部材に対する粘着性を示すことがより好ましい。
【００６２】
また、本パネル４２では、嵌合雌部４３の開口空間部４７内（例えば、最深部４７ｚや側壁部４７ｗ）にシール材５４が装着されているので、運搬時などに他の資材等と接触することによって、シール材５４に欠損や剥がれなどが生じるという問題が起こらず、厳重な保護処置などを施さなくても、高い品質を維持できる。また、保護処置を省略あるいは簡略化できるので、現場での除去作業を軽減でき、ごみの処理量も軽減できる。
【００６３】
なお、上記した外壁構造１・３０は建物の外表面を覆うものである。よって、建物の側面を覆うもの（いわゆる壁）として利用されることが好ましいが、建物の上部を覆うもの（いわゆる屋根）として利用することも当然可能である。
【００６４】
また、本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【００６５】
本発明の外壁構造は、美観性に優れ、防水性と耐久性とを兼ね備えている、よって、スーパーマーケット、病院、図書館、劇場、駅舎、事務所、会館、工場、倉庫等様々な建物の外壁あるいは屋根として利用可能といえる。また、本発明のパネルは、幅広い環境条件において高いシール性能を得ることができ、パネルの変形に対する追従性も優れているので、環境条件の厳しい設置場所においても好適に用いることができる。例えば、積雪が多い地方におけるすがもれ防止にも好適である。
【図面の簡単な説明】
【００６６】
【図１】本発明の実施の形態に係る外壁構造の全体斜視図である。
【図２】（ａ）は、図１の外壁構造に用いられる各パネルの構造を示す斜視図である。（ｂ）は、上記パネルの上面図である。
【図３】（ａ）は、上記パネルの一方の側部の構造を示す上面図である。（ｂ）は、上記パネルの他方の側部構造を示す上面図である。
【図４】図１の外壁構造における各パネルの係合部の構造を示す斜視図である。
【図５】上記外壁を備える建物の構造を説明する側面図である。
【図６】（ａ）〜（ｃ）は、上記外壁の取り付け方法を説明する上面図である。
【図７】（ａ）従来の外壁構造を示す斜視図であり、（ｂ）は、該従来の外壁構造を示す上面図である。
【図８】（ａ）は、本発明における外壁構造の他の形態を示す断面図であり、（ｂ）は、（ａ）に示す外壁構造に用いられるパネルの断面図である。
【図９】（ａ）は、本発明のパネルにおけるシール材装着位置の一例を示す断面図であり、（ｂ）は、本発明のパネルにおける嵌合雄部形状の一例を示す断面図である。
【符号の説明】
【００６７】
１・３０  外壁（外壁構造）
２（２ａ・２ｂ）・４２（４２ａ・４２ｂ）  パネル
３・４３  嵌合雌部
４・４４  嵌合雄部
５  ダミー嵌合部
６・４６  開口部
７・４７  開口空間部
７ｐ  拡張部
９・４９  くび部
１０・５０  頭部
１０ｐ  えら部
１０ｑ・５０ｑ  頭頂部（頂部）
１３  溝部
１５  谷部
１５ｐ  谷部の底
１８  谷部の縁端
１９・５９  ビス（固定用部材）
２９  建物（母屋）
３５  ダミー係合部
４７  開口空間部
４７ｗ  （開口空間部の）側壁部
４７ｚ  （開口空間部の）最深部
５４  シール材
【図１】
2005336999.tif 000003
【図２】
2005336999.tif 000004
【図３】
2005336999.tif 000005
【図４】
2005336999.tif 000006
【図５】
2005336999.tif 000007
【図６】
2005336999.tif 000008
【図７】
2005336999.tif 000009
【図８】
2005336999.tif 000010
【図９】
2005336999.tif 000011